(57)【要約】【課題】接続ジャック近傍に配設され、接続コードの抜け止めを図った接続コード係止構造に於て、接続コードの係止を容易、且つ、確実にすると共に、部品点数及び取り付け作業の増加を抑えコストダウンを図る。【解決手段】接続コード係止具１１は、硬質樹脂から成る平板状の本体部１２に該本体部１２と一体にＣ字形の２つのフック１３，１４が上下に離間して成型されて成り、ケーシング１５に設けられたＡＣジャック１６の近傍に該ケーシング１５と一体に形成されている。そして、前記フック１３，１４は夫々前記ＡＣジャック１６に接続されるＡＣコード１７のコード部１８を抱持する抱持部１９，２０と、該抱持部１９，２０へ該コード部１８を出入させるための開口部２１，２２とを備え、該開口部２１，２２は互いに異なる方向に開口している。【選択図】　図２
2004128018.tif 000002
【特許請求の範囲】
【請求項１】
ケーシングに設けられた接続ジャック近傍に接続コードのコード部を抱持する抱持部と、該抱持部へ該コード部を出入させるための開口部とを備えたフックを設けたことを特徴とする接続コード係止構造。
【請求項２】
上記フックは互いに離間する２つのフックから成ることを特徴とする請求項１記載の接続コード係止構造。
【請求項３】
上記２つのフックの開口部は互いに異なる方向に開口していることを特徴とする請求項２記載の接続コード係止構造。
【請求項４】
上記フックはＣ字形に形成されていることを特徴とする請求項１，２又は３記載の接続コード係止構造。
【請求項５】
上記接続コード係止構造は上記ケーシングと一体に形成されていることを特徴とする請求項１乃至４記載の接続コード係止構造。
【請求項６】
上記接続コード係止構造は上記ケーシングと別体に形成され、該ケーシングに固着されることを特徴とする請求項１乃至４記載の接続コード係止構造。
【請求項７】
上記フックは可撓性材料で形成されていることを特徴とする請求項１乃至６記載の接続コード係止構造。
【発明の詳細な説明】
【０００１】
【発明の属する技術分野】
この発明は、接続コード係止構造に関するものであり、特に、接続コードを係止して、該接続コードに接続される接続プラグの抜け止めを図った接続コード係止構造に関するものである。
【０００２】
【従来の技術】
従来の此種接続コードは、一般に図３に示す如く、電気機器等のケーシング１に設けられたＡＣジャック２に接続コードであるＡＣコード３のＡＣプラグ４が差込まれた時、該ＡＣコード３のコード部５が係止又は保持されることなく、フリーの状態でそのままコンセント（図示せず）に接続されるものが多い。
【０００３】
そのため、前記ＡＣコード３が不測の外力によって引張されると、前記ＡＣプラグ４が外れたり、衝撃が加わって該ＡＣプラグ４及びＡＣジャック２を破損してしまう虞がある。
【０００４】
前述の問題を回避するため、例えば、図４に示す如く、電気機器６にＡＣコード係止具７を設けた接続コード係止構造が知られている（例えば、特許文献１参照。）。該ＡＣコード係止具７は、軟質樹脂で略Ｔ字形に一体成型されており、Ｔ字形の下端部である先端部７ａがＬ字状に折曲されて先端近傍に取付孔８が開穿され、該取付孔８にネジ９を挿通して前記電気機器６に固定するように構成され、Ｔ字形の上端である後端部７ｂが前記電気機器６に接続されるＡＣコード１０のプラグ１０ａを締付け可能なバンド形状に形成されている。従って、該バンド形状の後端部７ｂで前記プラグ１０ａを締付けることにより、該プラグ１０ａの抜け止めを図ることができる。
【０００５】
【特許文献１】
特開２００１−６８１１号公報　（第１−５頁、第１図）
【０００６】
【発明が解決しようとする課題】
上記従来例の接続コード係止構造としてのＡＣコード係止具は、後端部がバンド形状を有し、該後端部でＡＣコードのプラグを締付けることにより、該プラグの抜け止めを図っている。
【０００７】
然しながら、前記ＡＣコード係止具は電気機器とは別部品となるため、部品点数が増加すると共に、該ＡＣコード係止具取付のための作業も必要であり、コスト高となっていた。又、ＡＣコードの係止操作も比較的時間がかかるという欠点がある。
【０００８】
そこで、接続ジャック近傍に配設され、接続コードの抜け止めを図った接続コード係止構造に於て、接続コードの係止を容易、且つ、確実にすると共に、部品点数及び取り付け作業の増加を抑えコストダウンを図るために解決すべき技術的課題が生じてくるのであり、本発明はこの課題を解決することを目的とする。
【０００９】
【課題を解決するための手段】
本発明は上記目的を達成するために提案されたものであり、ケーシングに設けられた接続ジャック近傍に接続コードのコード部を抱持する抱持部と、該抱持部へ該コード部を出入させるための開口部とを備えたフックを設けた接続コード係止構造、
及び、上記フックは互いに離間する２つのフックから成る接続コード係止構造、
及び、上記２つのフックの開口部は互いに異なる方向に開口している接続コード係止構造、
及び、上記フックはＣ字形に形成されている接続コード係止構造、
及び、上記接続コード係止構造は上記ケーシングと一体に形成されている接続コード係止構造、
及び、上記接続コード係止構造は上記ケーシングと別体に形成され、該ケーシングに固着される接続コード係止構造、
並びに、上記フックは可撓性材料で形成されている接続コード係止構造を提供するものである。
【００１０】
【発明の実施の形態】
以下、本発明の一実施の形態を図１及び図２に従って詳述する。図１に於て、１１は接続コード係止構造を構成する接続コード係止具であり、該接続コード係止具１１は、硬質樹脂から成る平板状の本体部１２に該本体部１２と一体にＣ字形の２つのフック１３，１４が上下に離間して形成されて成り、該接続コード係止具１１はケーシング１５に設けられた接続ジャックであるＡＣジャック１６の近傍に該ケーシング１５と一体に形成されている。
【００１１】
そして、図２に示す如く、前記フック１３，１４は夫々前記ＡＣジャック１６に接続される接続コードとしてのＡＣコード１７のコード部１８を抱持する抱持部１９，２０と、該抱持部１９，２０へ該コード部１８を出入させるための開口部２１，２２とを備え、該開口部２１，２２は互いに異なる方向となる左右方向に開口している。
【００１２】
而して、前記ＡＣジャック１６に前記ＡＣコード１７のＡＣプラグ２３を差込み、該ＡＣコード１７のコード部１８を前記接続コード係止具１１に形成された上段の前記フック１３の開口部２１を介して前記抱持部１９に抱持させ、更に、該コード部１８を下段の前記フック１４の開口部１４ａを介して前記抱持部２０に抱持させると、前記ＡＣコード１７は、前記接続コード係止具１１に係止される。
【００１３】
従って、前記ＡＣコード１７は前記接続コード係止具１１に容易に係止されると共に、前記フック１３、１４の開口部２１，２２は互いに異なる方向に開口しているので、該ＡＣコード１７の係止が確実となり、該ＡＣコード１７が外れることもない。
【００１４】
又、該ＡＣコード１７が不測の外力によって引張された時、該ＡＣコード１７にかかる力は先ず下段の前記フック１４で規制され、更に、上段の前記フック１３に規制されるため、前記ＡＣプラグ２３に外力が伝達されず、又は、伝達されてもその力は弱まっており、該ＡＣプラグ２３が前記ＡＣジャック１６から外れることはなく、更に、該ＡＣプラグ２３、又は、前記ＡＣジャック１６が破損することもない。
【００１５】
又、前記不測の外力によって、万一、前記ＡＣコード１７が前記フック１４から外れた場合でも、前記開口部２１，２２は互いに異なる方向に開口しているので、同方向の外力によって該ＡＣコード１７は前記フック１３から外れないため、該ＡＣコード１７は該フック１３によって係止され、外力が規制される。
【００１６】
斯くして、前記接続コード係止具１１はＡＣコード１７を容易に係止できると共に、該ＡＣコード１７が係止された状態で該ＡＣコード１７が不慮に引張された時、該ＡＣコード１７は前記フック１４，１３によってその引張力が規制され、該ＡＣコード１７の前記ＡＣプラグ２３が前記ＡＣジャック１６から外れることを防止することができると共に、該ＡＣプラグ２３及び該ＡＣジャック１６の破損を防止することができる。
【００１７】
又、前記接続コード係止具１１は前記ケーシング１５と一体に形成されるため、部品点数及び取り付け作業を増加させることがなくコストダウンを図ることができる。
【００１８】
尚、前記接続コード係止具１１は前記ケーシング１５と一体に形成したが、これに代えて、接続コード係止具を別体として形成し、該接続コード係止具を螺着或いは接着等でケーシングに固着することも可能であり、然る時も前記接続コード係止具１１と同様にＡＣプラグ２３が前記ＡＣジャック１６から外れることを防止することができると共に、該ＡＣプラグ２３及び該ＡＣジャック１６の破損を防止することができ、且つ、ＡＣコードの係止方法も容易であるが、更に、ケーシングの成型及び接続コード係止具の成型が簡単になるといる利点がある。
【００１９】
又、前記フック１４はＣ字形状に形成したが、これに限定されず、一部切欠された開口部を有する四角形状、或いは、一部切欠された開口部を有する三角形状等、種々の形状に形成可能であり、然る時も、前記Ｃ字形状と略同様の効果が期待できる。
【００２０】
更に、前記フックは硬質樹脂で形成されるが、これに代えて、可撓性樹脂で形成することも可能であり、然る時は、該フックに前記ＡＣコードのコード部を係止する時、該フックが撓むことにより開口部が開き、係止が容易になる利点があり、更に、該フックの開口部を狭く形成して前記ＡＣコードが更に外れにくいようにすることも可能となる。
【００２１】
更に又、前記接続コード係止具１１はＡＣコードを係止するものとして説明したが、該ＡＣコードを係止する代わりに、例えば、ＤＣコードを係止することも可能であり、その他、種々のコードを係止することが可能である。
【００２２】
尚、本発明は、本発明の精神を逸脱しない限り種々の改変を為すことができ、そして、本発明が該改変されたものに及ぶことは当然である。
【００２３】
【発明の効果】
本発明は上記一実施の形態に詳述したように、請求項１記載の発明は、ケーシングに設けられた接続ジャック近傍に接続コードのコード部を抱持する抱持部と、該抱持部へ該コード部を出入させるための開口部とを備えたフックを設けたので、該フックによって前記接続コードのコード部を容易に係止することができる。
【００２４】
又、請求項２記載の発明は、上記フックは互いに離間する２つのフックから成るので、請求項１記載の発明の効果に加え、該２つのフックにより接続コードを確実に係止して、該接続コードが外れることを防止することが可能となる。
【００２５】
更に、請求項３記載の発明は、上記２つのフックの開口部は互いに異なる方向に開口しているので、請求項２記載の発明の効果に加え、該接続コードの係止が更に確実になり、該接続コードが外れることを確実に防止することができる。
【００２６】
更に又、請求項４記載の発明は、上記フックはＣ字形に形成されているので、請求項１，２又は３記載の発明の効果に加え、接続コードの外周を略全周に及んで略均等に抱持し、該接続コードの損傷を防止できる。
【００２７】
そして、請求項５記載の発明は、上記接続コード係止構造は上記ケーシングと一体に形成されているので、請求項１乃至４記載の発明の効果に加え、部品点数及び取り付け作業を増加させることがなくコストダウンを図ることができる。
【００２８】
又、請求項６記載の発明は、上記接続コード係止構造は上記ケーシングと別体に形成され、該ケーシングに固着されるので、請求項１乃至４記載の発明の効果に加え、ケーシングの成型及び接続コード係止構造の成型が簡単になり、コストダウンが図れるという利点がある。
【００２９】
更に、請求項７記載の発明は、上記フックは可撓性材料で形成されているので、請求項１乃至６記載の効果に加え、該フックに接続コードのコード部を係止する時、該フックが撓むことにより、係止が容易になる利点があり、更に、フックの開口部を狭く形成して接続コードが外れないようにすることも可能である等、正に著大なる効果を奏する発明である。
【図面の簡単な説明】
【図１】本発明の一実施の形態を示し、ケーシングに接続コード係止具が一体に取付けられた状態を示す斜視図。
【図２】本発明の一実施の形態を示し、ケーシングに一体に接続コード係止具が取付けられ、該接続コード係止具に接続コードを係止させた状態を示す斜視図。
【図３】従来例を示し、ケーシングに設けられた接続ジャックに接続コードの接続プラグを差込んだ状態を示す斜視図。
【図４】他の従来例を示し、接続コードの接続プラグを係止具で係止した状態を示す斜視図。
【符号の説明】
１１　　　　　接続コード係止具
１３，１４　　フック
１５　　　　　ケーシング
１６　　　　　ＡＣジャック
１７　　　　　ＡＣコード
１８　　　　　コード部
１９，２０　　抱持部
２１，２２　　開口部
【図１】
2004128018.tif 000003
【図２】
2004128018.tif 000004
【図３】
2004128018.tif 000005
【図４】
2004128018.tif 000006